(57)【特許請求の範囲】
【請求項１】
樹脂で形成されたポンプにおける液通路の内壁から環状の弁座部材が内向きに突設され、弁座部材の内側が流路になっていて、この弁座部材の下流側に配した弁体が前記弁座部材の弁座に着座離反して前記流路を開閉する樹脂製ポンプにおける逆止弁構造において、
前記弁座部材は液通路の内壁からほぼ垂直に内方へ突き出た水平部と、前記水平部の先端から下流方向へほぼ垂直に屈曲させた垂直部にて構成されており、該垂直部の先端部に弁座を設け、
前記液通路の内壁における弁座部材の上流側に、液通路の軸線方向に沿って延び弁座部材の水平部に連なる複数の突条のリブを設けたことを特徴とする樹脂製ポンプにおける逆止弁構造。
【発明の詳細な説明】
【０００１】
【発明の属する技術分野】
本発明は樹脂製ポンプの逆止弁の構造に関するものである。
【０００２】
【従来の技術】
シャンプー等を収容した容器にはその上部に手動ポンプを装備したものがある。この種のポンプには一般に樹脂製のポンプが用いられており、ポンプには吸込弁や吐出弁として逆止弁が内蔵されている。
【０００３】
この逆止弁には図８に示すような構造のものがある。これについて説明すると、液通路９００の内壁から環状の弁座部材９０１が斜め上流側に延びており、弁座部材９０１の内側が流路になっていて、弁座部材９０１の下流側に球状の弁体９０２が収容され、この弁体９０２が弁座部材９０１の弁座９０１ｃに着座離反して流路を開閉するようになっている。
【０００４】
【発明が解決しようとする課題】
しかしながら、従来の逆止弁構造のものを樹脂で射出成形すると、弁座部材９０１が液通路９００の内壁から斜めに突出した構造になっているため、弁座部材９０１を構成する部分の樹脂が冷却固化する時に「ひけ」が生じ、弁座部材９０１の弁座９０１ｃが所望するテーパー面に形成されず、不均一な面となり、そのため弁体９０２が着座した時のシール性が悪く、ポンプ性能を低下させるという問題が生じた。
【０００５】
前記弁座部材の「ひけ」は、弁座部材９０１の上流側に突条のリブ９０３が液通路９００の軸線方向に沿って設けられている場合に特に顕著に現れる。
本発明はこのような従来の技術の問題点に鑑みてなされたものであり、シール性がよくポンプ性能を向上せしめる樹脂製ポンプの逆止弁構造を提供することを目的とする。
【０００６】
【課題を解決するための手段】
本発明は前記課題を解決するために、以下の手段を採用した。本発明は、樹脂で形成されたポンプにおける液通路の内壁から環状の弁座部材が内向きに突設され、弁座部材の内側が流路になっていて、この弁座部材の下流側に配した弁体が前記弁座部材の弁座に着座離反して前記流路を開閉する樹脂製ポンプにおける逆止弁構造において、前記弁座部材は液通路の内壁からほぼ垂直に内方へ突き出た水平部と、前記水平部の先端から下流方向へほぼ垂直に屈曲させた垂直部にて構成されており、該垂直部の先端部に弁座を設け、前記液通路の内壁における弁座部材の上流側に、液通路の軸線方向に沿って延び弁座部材の水平部に連なる複数の突条のリブを設けたことを特徴とする樹脂製ポンプにおける逆止弁構造である。前記弁座部材は例えば断面路L字形で環状に形成することができる。
【０００７】
液通路の内壁と弁座部材の弁座との間に、液通路の内壁からほぼ垂直に内方へ突出する部分を弁座部材に設けたことによって、弁座部材を射出成形して固化する時点で「ひけ」が生じたとしても、「ひけ」が弁座に与える影響は殆どない。したがって、閉弁時における弁体と弁座のシール性が極めてよく、ポンプ性能が向上する。
【０００８】
前記液通路の内壁における弁座部材の上流側には、液通路の軸線方向に沿って延び弁座部材に連なる突条のリブを設けることが可能である。このようにリブを設けた場合にも、「ひけ」が弁座に与える影響は殆どなく、閉弁時に弁座と弁体のシール性が悪化することはない。
【０００９】
〈本発明の原材料〉
本発明の逆止弁構造では、弁座部材については液通路と一体に樹脂で形成する必要があるが、弁体については必ずしも樹脂製である必要はなく、金属製やセラミック製であってもよい。
【００１０】
弁座部材を構成する具体的な樹脂としては、ポリプロピレン（以下、ＰＰという）や高密度ポリエチレン等を例示することができる。
弁体を樹脂製とする場合には、ＰＰやポリアセタール等を例示することができる。
【００１１】
【発明の実施の形態】
以下、本発明の実施の形態を図１から図７の図面に基いて説明する。
【００１２】
〔第１の実施の形態〕
図１及び図２は本発明の逆止弁構造を備えた泡噴出ポンプ付き容器の縦断面図であり、図３から図５はその要部拡大図である。
【００１３】
＜構成＞
初めに、泡噴出ポンプ付き容器の構成を説明する。泡噴出ポンプ付き容器は、容器体１の口筒部２に樹脂製の泡噴出ポンプ１０を取り付けて構成されている。容器体１には洗顔液のように発泡性を有する液体が収容されている。
【００１４】
泡噴出ポンプ１０は、シリンダ部材２０と、液吸入弁３０と、ステム４０と、第１ピストン５０と、第２ピストン６０と、液吐出弁（逆止弁）７０と、第１空気吸入弁８０と、第２空気吸入弁９０と、ポンプヘッド１００と、発泡ユニット１３０と、装着筒１５０とを備えている。
【００１５】
シリンダ部材２０は上端に環状のフランジ部２１を有し、内部を空気室とする円筒状の大径シリンダ部２２がフランジ部２１から下方に延び、内部を液室とする円筒状の小径シリンダ部２４が大径シリンダ部２２の底板部２３から同心状に下方に延び、小径シリンダ部２４の下端から接続筒２５が下方に延びて構成されている。
【００１６】
このシリンダ部材２０は、口筒部２から大径シリンダ部２２と小径シリンダ部２４と接続筒２５を容器体１内に挿入させ、口筒部２の上面にパッキン２００とフランジ部２１とを載置して、口筒部２に螺合する装着筒１５０によって容器体１に固定されている。フランジ部２１には口筒部２よりも内側に位置する部位に空気孔２７が複数設けられている。
【００１７】
シリンダ部材２０の接続筒２５には吸い上げパイプ２０１が連結されており、この吸い上げパイプ２０１の下端は容器体１の底部まで延びている。
装着筒１５０の中央には中央筒部１５１が設けられていて、この中央筒部１５１からポンプヘッド１００が上下動可能に突出している。ポンプヘッド１００の内部には発泡ユニット１３０が装着されており、ポンプヘッド１００の下部にはシリンダ部材２０内を上下動するステム４０が連結固定されている。ステム４０の内部には液吐出弁７０が設けられており、ステム４０の外周部には大径シリンダ部２２の内周面を気密に摺動する第２ピストン６０が取り付けられている。第２ピストン６０には第２空気吸入弁９０が取り付けられている。ステム４０の下部には小径シリンダ部２４の内周面を液密に摺動する第１ピストン５０が連結されており、第１ピストン５０の下側には、ステム４０及び第１ピストン５０に連繋して動作し接続筒２５を開閉する液吸入弁３０が配されている。
【００１８】
各構成について以下に詳述する。シリンダ部材２０の小径シリンダ部２４内には、液吸入弁３０とコイルスプリング３９と第１ピストン５０が収納されている。液吸入弁３０の下端は、小径シリンダ部２４の下端に形成されたテーパー面からなる弁座２４ａに着座及び離反可能な下部弁体３１に形成されていて、接続筒２５を開閉する。
【００１９】
液吸入弁３０において下部弁体３１の上方には外方に突出する複数の係合ピン３２が設けられており、この係合ピン３２は、小径シリンダ部２４の下端に設けられた複数の縦リブ２６の間に上下動可能に挿入されている。
【００２０】
液吸入弁３０において係合ピン３２よりも上部は大径部３３になっていて、大径部３３の上部に小径部３４が連なっている。大径部３３の外周面及び小径部３４の外周面にはそれぞれ上下方向に延びる縦溝３３ａ，３４ａが形成されている。小径部３４に連なる液吸入弁３０の上端は上方に進むに従って大径となるテーパー筒状の上部弁体３５になっている。
【００２１】
第１ピストン５０は上下を開口させた中空筒状をなし、その下部は小径シリンダ部２４の内周面を液密に摺動するシール部５１になっており、第１ピストン５０の上部開口周縁は弁座５２になっている。
【００２２】
液吸入弁３０の上部弁体３５は第１ピストン５０の上部開口から上方に突出し、第１ピストン５０の弁座５２に着座及び離反可能になっていて、第１ピストン５０の上部開口を開閉する。
【００２３】
第１ピストン５０内には、通常は図１に示すように液吸入弁３０の小径部３４が第１ピストン５０の内周面との間に十分な隙間を有して挿入されており、図２に示すようにポンプヘッド１００を押し下げてステム４０を下降せしめた時には、液吸入弁３０の大径部３３が第１ピストン５０の内周面との間に僅かな隙間を有して進入可能になっていて、その際には縦溝３３ａが液流路を確保する。
【００２４】
コイルスプリング３９は、シリンダ部材２０における縦リブ２６の上端と第１ピストン５０との間に設けられ、第１ピストン５０を上方に付勢している。一方、液吸入弁３０の係合ピン３２はコイルスプリング３９の下端に下方から掛止可能になっていて、これにより液吸入弁３０の上方移動時の上限を規制している。
【００２５】
ステム４０は上下を開口させた筒状をなし、大径シリンダ部２２及び小径シリンダ部２４内に上下動可能に収容されている。ステム４０の下部には第１ピストン５０の上部が挿入固定されており、ステム４０の下部からシール部５１を突出させている。
【００２６】
ステム４０の内側上部には本発明の逆止弁で構成された液吐出弁７０が設けられている。液吐出弁７０はステム４０の内部を液通路とし、ステム４０の内壁から突設された弁座部材４１と、弁座部材４１の上方（下流側）に配された弁体７１を備えている。
【００２７】
図５に示すように、弁座部材４１は、ステム４０の上部内壁からほぼ垂直に内方へ突き出た水平部４１ａと、水平部４１ａの先端からほぼ直角上方（下流側）に屈曲して延びる垂直部４１ｂにより断面略Ｌ字形の環状体で構成されており、垂直部４１ｂの先端内周面がテーパー面状の弁座４１ｃに形成されている。
【００２８】
ステム４０の内部であって弁座部材４１の上側は気液混合室４６になっていて、弁座部材４１の内側は気液混合室４６への流路となっている。
弁体７１は樹脂製で球状をなし、気液混合室４６内に移動可能に収納されていて、弁座４１ｃに着座及び離反可能になっている。弁体７１は弁座４１に着座して液体及び空気が弁座４１よりも下方に逆流するのを阻止し、弁座４１から離反して液体が弁座部材４１の下側から気液混合室４６内に流入するのを許容する。
【００２９】
ステム４０の内側であって、第１ピストン３０を固定した部位よりも上から弁座部材４１の水平部４１ａに至る部分には上下方向に延びる複数の突条の縦リブ４２が周方向に分散して設けられている。この縦リブ４２の内側には、図２に示すようにポンプヘッド１００を押し下げてステム４０を下降せしめた時に、液吸入弁３０の上部弁体３５及び小径部３４が進入可能になっており、その際、縦リブ４２間と、液吸入弁３０の小径部３４における縦溝３４ａは液通路となる。
【００３０】
ステム４０の上部に連結されるポンプヘッド１００は、外側筒部１０１と内側筒部１０２と天板部１０３とが一体に形成された有頂筒状をなしている。外側筒部１０１の上部一側には噴出口１０４が開口し、噴出口１０４はポンプヘッド１００の上部内側に形成された泡通路１０５を介して内側筒部１０２に連なっている。内側筒部１０２の内部には、その上部に発泡ユニット１３０が収納固定され、発泡ユニット１３０の下側にステム４０の上部が挿入固定されている。
【００３１】
内側筒部１０２の内周面であってステム４０が内嵌する部位には、上下方向に延びる複数の縦溝１０２ａが周方向に分散して設けられている。この縦溝１０２ａの上端はステム４０の上端よりも若干上方まで延びており、縦溝１０２ａは空気流路として機能する。内側筒部１０２の下端部は薄肉に形成されていて筒状弁体１０２ｂになっている。
【００３２】
発泡ユニット１３０は、上下を開口させた中空円筒状のケーシング１３１と、ケーシング１３１に装着された２つの発泡エレメント１３２とで構成されている。ケーシング１３１は上側が大径部１３１ａ、下側が小径部１３１ｂになっていて、大径部１３１ａは内側筒部１０２の内側に挿入固定され、小径部１３１ｂはステム４０内に径方向に隙間を有して挿入されている。又、大径部１３１ａの底部とステム４０の上端との間にも隙間が設けられており、これら隙間は空気流路として機能する。
【００３３】
発泡エレメント１３２は上下を開口させた筒体の一端開口に網１３３を取り付けて構成されており、ケーシング１３１内において下側に配された発泡エレメント１３２では筒体の下側開口に網１３３が取り付けられており、ケーシング１３１内において上側に配された発泡エレメント１３２では筒体１３２ａの上側開口に網１３３が取り付けられている。
【００３４】
ケーシング１３１の小径部１３１ｂの下部内周面にはその下端面から上方に延びる複数の縦溝が形成されており、液吐出弁７０の弁体７１が小径部１３１ｂの下端に突き当たった時にも液及び空気の流路を確保できるようになっている。
【００３５】
ステム４０の外周であって上下方向のほぼ中間には外方に張り出す環状のフランジ部４３が形成されており、フランジ部４３の上面には環状の起立壁４４が上向きに突設されている。起立壁４４の内周面は上方に進むにしたがって拡径するテーパ面に形成されている。
【００３６】
ステム４０には、フランジ部４３とポンプヘッド１００との間に第２ピストン６０が僅かに上下動可能に外嵌している。第２ピストン６０は上下を開口させた中空筒状をなし、最外部はシリンダ部材２０の大径シリンダ部２２の内周面を気密に摺動するシール筒部６１に形成されており、最内部はステム４０を外嵌する基筒部６２に形成されていて、シール筒部６１と基筒部６２は断面が階段状に屈曲してなる段付き筒部６３によって接続されている。
【００３７】
基筒部６２の上部はポンプヘッド１００の筒状弁体１０２ｂの内周面に気密に摺動可能に圧接している。基筒部６２と段付き筒部６３との連結部分には空気孔６４が周方向に分散して設けられており、この空気孔６４はポンプヘッド１００と第２ピストン６０との相対上下動によって開閉する。即ち、ポンプヘッド１００と第２ピストン６０が相対的に上下動して、ポンプヘッド１００の筒状弁体１０２ｂが基筒部６２と段付き筒部６３との連結部分に突き当たると空気孔６４は閉塞せしめられ、筒状弁体１０２ｂが前記連結部分から離間すると空気孔６４は開放せしめられる。
【００３８】
基筒部６２の下端は、ステム４０と第２ピストン６０との相対上下動によってステム４０の起立壁４４の内周面に当接離反する。ステム４０の外周面であって基筒部６２が外嵌する部位には、上下方向に延びる複数の縦溝４５が周方向に分散して設けられている。この縦溝４５は基筒部６２の下端がステム４０の起立壁４４から離間した時に大径シリンダ部２２の内部に連通し、基筒部６２の下端が起立壁４４に当接した時に大径シリンダ部２２の内部から遮断される。
【００３９】
基筒部６２の下部には第２空気吸入弁９０が固定されている。第２空気吸入弁９０はその下端から径方向外方に広がる上向きテーパーの環状のダイアフラム９１を備えている。このダイアフラム９１は弾性を有していて、通常はダイアフラム９１の外周縁部が第２ピストン６０の段付き筒部６３の下面に圧接してシールし、大径シリンダ部２２内の負圧化によりダイアフラム９１の外周縁は下方に引っ張られて段付き筒部６３から離間するように動作する。
【００４０】
ところで、装着筒１５０は中央筒部１５１の外側に筒状リブ１５２を有しており、この筒状リブ１５２の下端には、装着筒１５０と大径シリンダ部２２の内周面との間をシールする第１空気吸入弁８０が固定されている。大径シリンダ部２２に当接する第１吸入弁８０のシール筒部８１はテーパー筒状をなし斜め上向きに延びていて弾性を有しており、容器体１内の負圧化によりシール筒部８１の上端部は径方向内方に引っ張られて大径シリンダ部２２の内周面から離間するように動作する。
【００４１】
尚、この泡噴出ポンプ１０は、金属製のコイルスプリング３９を除く総ての部材が合成樹脂で形成されている。
【００４２】
＜作用＞
次に、この泡噴出ポンプ付き容器の動作を説明する。
図１及び図３はポンプヘッド１００を押し下げる前の状態であり、つまりポンプヘッド１００が上限に位置している状態である。泡を噴出する場合には、まず、装着筒１５０に被せてある透明カバー２０２を外す。
【００４３】
ポンプヘッド１００を押し下げる前の状態では、液吸入弁３０は第１ピストン５０を介しコイルスプリング３９によって押し上げられており、下部弁体３１はシリンダ部材２０の弁座２４ａから離間しており、小径シリンダ部２４内は吸い上げパイプ２０１を介して容器体１内と連通した状態にある。液吸入弁３０の上部弁体３５は第１ピストン５０の弁座５２に着座し第１ピストン５０の上部開口を閉塞している。第２ピストン６０の基筒部６２の下端はステム４０の起立壁４４に当接し、第１空気吸入弁８０は第２ピストン６０の段付き筒部６３とシリンダ部材２０の大径シリンダ部２２に圧接し、ポンプヘッド１００の筒状弁体１０２ｂの下端は第２ピストン６０の段付き筒部６３から離間し、空気孔６４を開放している。
【００４４】
この状態からポンプヘッド１００を押し下げていくと、ステム４０と第１ピストン５０がポンプヘッド１００と一体となって下降し、その結果、図４に示すように第１ピストン５０の弁座５２から液吸入弁３０の上部弁体３５が離間し、第１ピストン５０の上部開口を開放する。これとほぼ同時に第１ピストン５０の下降により小径シリンダ部２４内が加圧され、小径シリンダ部２４内の液圧によって液吸入弁３０が下降せしめられ、下部弁体３１が弁座２４ａに着座して、小径シリンダ部２４の下部開口を閉塞する。一方、第２ピストン６０は、ポンプヘッド１００の押し下げ開始直後はシール筒部６１と大径シリンダ部２２との摩擦力によって停止しており、その状態でステム４０が下降する結果、第２ピストン６０の基筒部６２の下端はステム４０の起立突起４４から離間し、ポンプヘッド１００の筒状弁体１０２ｂの下端が第２ピストン６０の段付き筒部６３に突き当たって空気孔６４を閉ざす。
【００４５】
ポンプヘッド１００の筒状弁体１０２ｂの下端が第２ピストン６０の段付き筒部６３に突き当たった以後は、第２ピストン６０もポンプヘッド１００、ステム４０、第１ピストン５０と一体となって下降する。
【００４６】
これ以降においてポンプヘッド１００が下降すると、第１ピストン３０によって加圧された小径シリンダ部２４内の液体は、第１ピストン３０の上部開口及び液吸入弁３０の縦溝３３ａ，３４ａを通り、ステム４０の縦リブ４２の間を通って、上部弁体３５の上方に押し出され、更に液圧で液吐出弁７０の弁体７１を弁座４１ｃから押し上げて気液混合室４６内に流入する（図２参照）。一方、大径シリンダ部２２内に収容された空気は、ステム４０のフランジ部４３及び起立突起４４と第２ピストン６０における基筒部６２の下端との間を通って、ステム４０の縦溝４５を通り、ポンプヘッド１００における内側筒部１０２の縦溝１０２ａを通り、更に発泡ユニット１３０のケーシング１３１とステム４０との間の通路を通って、気液混合室４６内に流入する。
【００４７】
そして、気液混合室４６内で液体と空気は合流し混合されて、発泡ユニット１３０内に送られる。そして、発泡ユニット１３０の上下２つの網１３３を通過する際に液体は発泡せしめられ、泡の状態でポンプヘッド１００の泡通路１０５内に押し出されて、ポンプヘッド１００の噴出口１０４から噴出する。
【００４８】
ポンプヘッド１００の押し下げが終わってポンプヘッド１００から指を離すと、小径シリンダ部２４内の液圧、及び、大径シリンダ部２２内の空気圧は下がり、液吐出弁７０の弁体７１が弁座４１ｃに着座し、コイルスプリング３９の弾性によって第１ピストン５０、ステム４０、ポンプヘッド１００が上方に押し上げられる。
【００４９】
ここで、第２ピストン６０は、ステム４０の押し上げ開始直後はシール筒部６１と大径シリンダ部２２との摩擦力によって停止しており、その状態でステム４０が上昇する結果、ステム４０の起立突起４４の内周面が第２ピストン６０の基筒部６２の下端に圧接し、大径シリンダ部２２内とステム４０の縦溝４５との間を遮断する。これと同時に、ポンプヘッド１００の筒状弁体１０２ｂの下端が第２ピストン６０の段付き筒部６３から離間し、空気孔６４を開放する。
【００５０】
起立突起４４の内周面が基筒部６２の下端に突き当たった以降は、第１ピストン５０とステム４０と第２ピストン６０とポンプヘッド１００は一体となって上昇する。
【００５１】
第１ピストン５０が上昇すると小径シリンダ部２４内が負圧化し、それによって液吸入弁３０が引き上げられ、下部弁体３１が弁座２４ａから離間して、小径シリンダ部２４内が容器体１内に連通する。その結果、容器体１内の液体が第１ピストン５０の上昇に伴って小径シリンダ部２４内に吸い上げられる。
【００５２】
液体が小径シリンダ部２４内にポンプアップされると容器体１内が負圧化し、これに起因して第１空気吸入弁８０のシール筒部８１が大径シリンダ部２２の内周面から離間する方向に引き付けられ、大径シリンダ部２２との間に隙間が生じる。
【００５３】
又、第２ピストン６０の上昇に伴って大径シリンダ部２２内も負圧化し、これに起因して第２空気吸入弁９０のダイアフラム９１が下方に引き付けられ、第２ピストン６０の段付き筒部６３から離間し隙間が生じる。
【００５４】
第１空気吸入弁８０及び第２空気吸入弁９０がこのように動作する結果、外気が装着筒１５０の中央筒部１５１とポンプヘッド１００との間から装着筒１５０内に吸い込まれる。そして、一部の空気は第２ピストン６０の空気孔６４を通って大径シリンダ部２２内に入り、他の空気はシリンダ部材２０におけるフランジ部２１の空気孔２７を通って容器体１内に入る。これによって大径シリンダ部２２内及び容器体１内は大気圧と等圧になり、第１ピストン５０及び第２ピストン６０の上昇がスムーズに行われ、液体の小径シリンダ部２４内へのポンプアップがスムーズに行われる。
【００５５】
ところで、この泡噴出ポンプ１０のステム４０は合成樹脂を射出成形して製造するが、ステム４０に設けた弁座部材４１は、ステム４０の内壁からほぼ垂直に突き出る水平部４１ａを有していて、水平部４１ａの先端からほぼ直角に屈曲する垂直部４１ｂの先端部分に弁座４１ｃを設けているので、弁座部材４１を形成する樹脂が冷却固化する際にステム４０の内壁側に引き付けられる「ひけ」が生じたとしても、弁座４１ｃへの影響は殆どなく、弁座４１ｃに弁体７１が着座したときのシール性が損なわれることはない。したがって、液吐出弁７０の閉弁時の密閉性が極めてよく、高いポンプ性能を得ることができる。
【００５６】
〔第２の実施の形態〕
図６及び図７は本発明の逆止弁構造を備えたポンプ付き容器の縦断面図である。
【００５７】
＜構成＞
初めに、ポンプ付き容器の構成を説明する。このポンプ付き容器は、容器体３００の口筒部３０１に樹脂製のポンプ４００を取り付けて構成されており、容器体３００にはシャンプー等の液体が収容されている。このポンプ４００は、第１の実施の形態におけるポンプのように液体を泡状にして噴出するのではなく、液状のまま注出するポンプである。
【００５８】
ポンプ４００は、シリンダ部材４１０と、液吸入弁４２０と、弁規制部材４３０と、ステム４４０と、ポンプヘッド４５０と、液吐出弁（逆止弁）４６０と、装着筒４７０と、装着筒カバー４８０とを備えている。
【００５９】
シリンダ部材４１０は円筒状をなし、内部が液室になっている。シリンダ部材４１０は上部にフランジ部４１１を有し、フランジ部４１１から係合筒４１２が上方に起立し、上部を開口させている。シリンダ部材４１０の下端には接続筒４１３が設けられている。シリンダ部材４１０の下部内周面には、スプリング受け座４１４と、弁座４１５が形成されており、フランジ部４１１の下部には空気孔４１７が形成されている。
【００６０】
このシリンダ部材４１０は、口筒部３０１から容器体３００内に挿入され、パッキン４１６とフランジ部４１１を口筒部３０１の上に載置して、口筒部３０１に螺合する装着筒４７０によって容器体３００に固定されている。
【００６１】
シリンダ部材４１０の接続筒４１３には吸い上げパイプ４１８が連結されており、この吸い上げパイプ４１８の下端は容器体３００の底部まで延びている。
シリンダ部材４１０の内部にはステム４４０が上下動可能に挿入されており、ステム４４０の上部はシリンダ部材４１０の上部開口から上方に突き出ている。ステム４４０の下部はシリンダ部材４１０の内周面を液密に摺動する筒状のピストン４４１に形成されている。
【００６２】
シリンダ部材４１０の内部であって弁座４１５の上方には、球状の液吸入弁４２０が弁座４１５に着座及び離反可能に収納されている。
又、シリンダ部材４１０の内部であってスプリング受け座４１４の上方には、弁規制部材４３０が取り付けられている。弁規制部材４３０は、外筒部４３１とその内側に設けられた軸部４３２とを備え、外筒部４３１の下端をスプリング受け座４１４に載置させ、ステム４４０との間に配されたコイルスプリング４３３によって下方に押し付けられてシリンダ部材４１０に固定されている。
【００６３】
外筒部４３１には複数の流通孔４３４が設けられており、この流通孔４３４を液体が通過することができるようになっている。液吸入弁４２０と弁規制部材４３０との間には、液吸入弁４２０を下方に付勢するコイルスプリング４３５が設けられており、これによって液吸入弁４２０を素早く弁座４１５に着座せしめるようにしている。
【００６４】
弁規制部材４３０の軸部４３２の下端は外筒部４３１の下端よりも下方に突き出ており、液吸入弁４２０が必要以上に弁座４１５から離間しないように、液吸入弁４２０の移動範囲を制限している。
【００６５】
ステム４４０の内側上部には本発明の逆止弁で構成された液吐出弁４６０が設けられている。液吐出弁４６０はステム４４０の内部を液通路とし、ステム４４０の内壁から突設された弁座部材４４２と、弁座部材４４２の上方（下流側）に配された弁体４６１を備えている。弁座部材４４２の構造については第１の実施の形態における液吐出弁７０の弁座部材４１と全く同じであるので詳細説明は省略するが、弁座部材４４２の先端内周面にテーパー面状の弁座が形成されていて、弁座部材４４２の内側は液体の流路となっており、弁体４６１が弁座に着座及び離反してこの流路を開閉し、液体がこの流路を下方に逆流するのを阻止している。このステム４４０の内周面にも、弁座部材４４２の下側に複数の突条の縦リブ４４３が設けられている。
【００６６】
シリンダ部材４１０の係合筒４１２には装着筒カバー４８０が係合している。装着筒カバー４８０は蓋部４８１を係合筒４１２に離脱不能に係合してシリンダ部材４１０に固定されており、蓋部４８１の中央から下方に延びるストッパ筒４８２の内側をステム４４０が貫通している。ストッパ筒４８２の下端はステム４４０に突き当たってステム４４０の上動を規制し、ステム４４０がシリンダ部材４１０から抜け出ないようにしている。
【００６７】
ステム４４０の上部にはピストンヘッド４５０が固定されている。ピストンヘッド４５０はステム４４０の内部に連なるノズル４５１を備え、ステム４４０を通過した液体をノズル４５１の先端から注出するように形成されている。
【００６８】
このポンプ４００の場合にも、金属製のコイルスプリング４３３，４３５を除く総ての部材が合成樹脂で形成されている。
【００６９】
＜作用＞
次に、このポンプ付き容器の作用を説明する。図６はポンプヘッド４５０を押し下げる前の状態であり、つまりポンプヘッド４５０が上限に位置している状態である。
【００７０】
ポンプヘッド４５０を押し下げる前の状態では、液吸入弁４２０は弁座４１５に着座して閉弁状態にあり、液吐出弁４６０の弁体４６１は弁座部材４４２の弁座に着座して閉弁状態にある。
【００７１】
この状態からポンプヘッド４５０を押し下げると、液吸入弁４２０は弁座４１５に着座して閉弁状態を保持し、シリンダ部材４１０内の液圧上昇によって液吐出弁４６０の弁体４６１が弁座から離反して開弁し、シリンダ部材４１０内の液体がポンプヘッド４５０のノズル４５１から注出される。
【００７２】
注出後、ポンプヘッド４５０から手を離すと、ポンプヘッド４５０はコイルスプリング４３３の弾性によって上昇するとともに、液吐出弁４６０の弁体４６１が弁座部材４２２の弁座に着座して閉弁し、シリンダ部材４１０内が負圧化する。この負圧によって液吸入弁４２０がコイルスプリング４３５の弾性に打ち勝って上昇し、弁座４１５から離反して開弁し、容器体３００内の液体が吸い上げパイプ４１８を介してシリンダ部材４１０内に吸引される。
【００７３】
ポンプヘッド４５０の上昇時には、外気がシリンダ部材４１０の空気孔４１７から容器体３００内に流入するので、容器体３００内が負圧化することはない。
【００７４】
ところで、このポンプ４００のステム４４０は合成樹脂を射出成形して製造するが、ステム４４０に設けた弁座部材４４２は、第１の実施の形態の弁座部材４１と同様に、ステム４４０の内壁からほぼ垂直に突き出る水平部を有し、水平部の先端からほぼ直角に屈曲する垂直部の先端部分に弁座を設けているので、弁座部材４４２を形成する樹脂が冷却固化する際にステム４４０の内壁側に引き付けられる「ひけ」が生じたとしても、弁座への影響は殆どなく、弁座に弁体４６１が着座したときのシール性が損なわれることはない。したがって、液吐出弁４６０の閉弁時の密閉性が極めてよく、高いポンプ性能を得ることができる。
【００７５】
【発明の効果】
以上説明したように、本発明によれば、逆止弁の弁座部材を、液通路の内壁からほぼ垂直に内方へ突き出した後、下流方向へ屈曲して構成し、その先端部に弁座を形成したことにより、逆止弁を樹脂で射出成形した際に弁座部材に「ひけ」が生じたとしても、弁座に与える影響は極めて少なく、弁体とのシール性が阻害されることはない。
【図面の簡単な説明】
【図１】  本発明の逆止弁構造を備えた樹脂製ポンプの第１の実施の形態の縦断面図であり、ポンプヘッドが上限に位置した状態を示している。
【図２】  本発明の逆止弁構造を備えた樹脂製ポンプの第１の実施の形態の縦断面図であり、ポンプヘッドを途中まで押し下げた状態を示している。
【図３】  本発明の逆止弁構造を備えた樹脂製ポンプの第１の実施の形態における要部を拡大して示す縦断面図である。
【図４】  本発明の逆止弁構造を備えた樹脂製ポンプの第１の実施の形態における要部を拡大して示す縦断面図である。
【図５】  本発明の第１の実施の形態の逆止弁の拡大断面図である。
【図６】  本発明の逆止弁構造を備えた樹脂製ポンプの第２の実施の形態の縦断面図であり、ポンプヘッドが上限に位置した状態を示している。
【図７】  本発明の逆止弁構造を備えた樹脂製ポンプの第２の実施の形態の縦断面図であり、ポンプヘッドを途中まで押し下げた状態を示している。
【図８】  従来の樹脂製ポンプにおける逆止弁の断面図である。
【符号の説明】
１０  泡噴出ポンプ
４１  弁座部材
４１ｃ  弁座
７０  液吐出弁（逆止弁）
７１  弁体
４００  ポンプ
４４２  弁座部材
４６０  液吐出弁（逆止弁）
４６１  弁体
【図１】
0003668311.tif 000002
【図２】
0003668311.tif 000003
【図３】
0003668311.tif 000004
【図４】
0003668311.tif 000005
【図５】
0003668311.tif 000006
【図６】
0003668311.tif 000007
【図７】
0003668311.tif 000008
【図８】
0003668311.tif 000009